(57)【要約】  ファスナーテープのテープ側縁部の止部よりもテープ長手方向の外側部分の美観を向上することができるスライドファスナーを提供する。  織製されてなる一対のファスナーテープ２０と、一対のファスナーテープ２０の対向するテープ側縁部２０ａにそれぞれ設けられ、複数のファスナーエレメント３１を有するファスナーエレメント列３０と、一対のファスナーエレメント列３０を噛合・分離させるスライダー４０と、一対のファスナーエレメント列３０の端部に設けられ、スライダー４０の移動を停止させる止部１１，１２と、を備え、テープ側縁部２０ａの止部１１，１２よりもファスナーテープ２０の長手方向の外側部分に、縞模様Ｓがテープ長手方向に沿って形成される。
2012063340.tif 000002
【特許請求の範囲】
【請求項１】
織製されてなる一対のファスナーテープ（２０）と、
前記一対のファスナーテープの対向するテープ側縁部（２０ａ）にそれぞれ設けられ、複数のファスナーエレメント（３１）を有するファスナーエレメント列（３０）と、
前記一対のファスナーエレメント列を噛合・分離させるスライダー（４０）と、
前記一対のファスナーエレメント列の端部に設けられ、前記スライダーの移動を停止させる止部（１１，１２）と、を備えるスライドファスナー（１０）であって、
前記テープ側縁部の前記止部よりも前記ファスナーテープの長手方向の外側部分に、縞模様（Ｓ）が前記テープ長手方向に沿って形成されることを特徴とするスライドファスナー。
【請求項２】
前記ファスナーテープ（２０）は、経糸（２１）及び緯糸（２２）によって織成され、前記テープ側縁部（２０ａ）に前記経糸よりも太い芯紐（２３ａ，２３ｂ）が織り込まれ、
前記縞模様（Ｓ）は、前記緯糸及び前記芯紐の織り目により形成されることを特徴とする請求項１に記載のスライドファスナー（１０）。
【発明の詳細な説明】
【技術分野】
【０００１】
本発明は、スライドファスナーに関する。
【背景技術】
【０００２】
従来のスライドファスナーとして、数種の色彩、例えば、レインボーカラーのような色彩に順次着色された多色紐又は多色糸をファスナーテープのテープ側縁部に織り込む又は編み込んで膨大状の芯部を形成すると共に、カラフルな装飾部を形成したものが知られている（例えば、特許文献１参照）。
【先行技術文献】
【特許文献】
【０００３】
【特許文献１】日本国特開平１１−７０００７号公報
【発明の概要】
【発明が解決しようとする課題】
【０００４】
しかしながら、特許文献１に記載のスライドファスナーでは、ファスナーテープのテープ側縁部の止部よりもテープ長手方向の外側部分の美観については考慮されていなかった。【０００５】
本発明は、前述した事情に鑑みてなされたものであり、その目的は、ファスナーテープのテープ側縁部の止部よりもテープ長手方向の外側部分の美観を向上することができるスライドファスナーを提供することにある。
【課題を解決するための手段】
【０００６】
本発明の上記目的は、下記の構成により達成される。
（１）織製されてなる一対のファスナーテープと、一対のファスナーテープの対向するテープ側縁部にそれぞれ設けられ、複数のファスナーエレメントを有するファスナーエレメント列と、一対のファスナーエレメント列を噛合・分離させるスライダーと、一対のファスナーエレメント列の端部に設けられ、スライダーの移動を停止させる止部と、を備えるスライドファスナーであって、テープ側縁部の止部よりもファスナーテープの長手方向の外側部分に、縞模様がテープ長手方向に沿って形成されることを特徴とするスライドファスナー。
（２）ファスナーテープは、経糸及び緯糸によって織成され、テープ側縁部に経糸よりも太い芯紐が織り込まれ、縞模様は、緯糸及び芯紐の織り目により形成されることを特徴とする（１）に記載のスライドファスナー。
【発明の効果】
【０００７】
本発明のスライドファスナーによれば、テープ側縁部の止部よりもファスナーテープの長手方向の外側部分に、縞模様がテープ長手方向に沿って形成されるため、テープ側縁部の止部よりもテープ長手方向の外側部分の美観を向上することができる。
【図面の簡単な説明】
【０００８】
【図１】本発明に係るスライドファスナーの一実施形態を説明する表面図である。
【図２】図１に示すファスナーテープのテープ側縁部の織組織を示す拡大斜視図である。
【図３】図１に示すファスナーテープのテープ側縁部の織組織を示す拡大断面図である。
【図４】本発明に係るスライドファスナーの第１変形例を説明する表面図である。
【図５】本発明に係るスライドファスナーの第２変形例を説明する表面図である。
【発明を実施するための形態】
【０００９】
以下、本発明に係るスライドファスナーの一実施形態について、図面を参照して詳細に説明する。なお、以後の説明において、ファスナーテープに関しては、表側とは図１の紙面に対して手前側（後述するスライダーの上側で引手を備える側）、裏側とは図１の紙面に対して奥側（後述するスライダーの下側で引手を備えない側）、上側とは図１の紙面に対して上側（後述するファスナーエレメント列を噛合させるようにスライダーを移動する方向側）、下側とは図１の紙面に対して下側（後述するファスナーエレメント列を分離させるようにスライダーを移動する方向側）、左側とは図１の紙面に対して左側、右側とは図１の紙面に対して右側とし、スライダーに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープ及びスライダーの左右方向は幅方向とも言う。また、ファスナーテープの上下方向は長手方向とも言う。また、テープ長手方向とはファスナーテープの長手方向、テープ幅方向とはファスナーテープの幅方向のことである。
【００１０】
本実施形態のスライドファスナー１０は、図１に示すように、織製されてなる左右一対のファスナーテープ２０と、左右一対のファスナーテープ２０の対向するテープ側縁部２０ａにそれぞれ設けられ、複数のファスナーエレメント３１を有するファスナーエレメント列３０と、左右のファスナーエレメント列３０を噛合・分離させるスライダー４０と、左右のファスナーエレメント列３０の上端部に隣接してそれぞれ設けられる上止部１１と、左右のファスナーエレメント列３０の下端部に隣接して設けられる下止部１２と、を備える。そして、引手４１を操作してスライダー４０を上方に移動させることにより、左右のファスナーエレメント列３０が噛合され、スライダー４０を下方に移動させることにより、左右のファスナーエレメント列３０が分離される。
【００１１】
ファスナーテープ２０は、図２及び図３に示すように、ポリエステル繊維又はポリアミド繊維のマルチフィラメント糸からなる経糸２１及び緯糸２２によって織成される。経糸２１及び緯糸２２の繊度は３３０ｄＴｅｘである。また、ファスナーテープ２０のテープ側縁部２０ａの表裏方向両側には、経糸２１とテープ幅方向に隣り合って配置され、経糸２１よりも太い芯紐２３ａ，２３ｂがそれぞれ織り込まれている。芯紐２３ａ，２３ｂは、５６０ｄＴｅｘの３本のマルチフィラメント糸を芯材として、その周囲を２６７ｄＴｅｘの編糸で覆ったものである。
【００１２】
また、テープ側縁部２０ａの上止部１１よりも上側部分及び下止部１２よりも下側部分には、緯糸２２及び表側に配置される芯紐２３ａにより、縞模様Ｓがテープ長手方向に沿って形成されている。また、縞模様Ｓは、緯糸２２及び芯紐２３ａの色が互いに異なることにより形成される。芯紐２３ａは、ファスナーテープ２０の表面よりもファスナーテープ２０の表側へ隆起して配置されている。また、芯紐２３ｂは、ファスナーテープ２０の裏面よりもファスナーテープ２０の裏側へ隆起して配置されている。なお、本実施形態では、緯糸２２及び芯紐２３ａにより縞模様Ｓを形成しているが、経糸２１及び緯糸２２により縞模様Ｓを形成してもよい。また、芯紐２３ａ及び緯糸２２の色としては、例えば、芯紐２３ａを白色などの淡色とした場合は、緯糸２２を茶色や紺色などの濃色とする。また、経糸２１の色は芯紐２３ａの色と同じにする方が好ましい。よって、芯紐２３ａの色が白色の場合、経糸２１の色を白色とする。なお、経糸２１の色は芯紐２３ａの色と同じであることに限定されず、経糸２１の色を緯糸２２の色と同じにしたり、経糸２１の色を芯紐２３ａ及び緯糸２２の色と異ならせたりしてもよい。
【００１３】
また、本実施形態では、良好な縞模様Ｓを形成するために、図２に示すように、表側に配置される芯紐２３ａは、３本（本実施形態では２本を引き揃えて１本とカウントする）の緯糸２２の上を跨ぐと共に、１本の緯糸２２の下を潜るように織り込まれている。また、裏側に配置される芯紐２３ｂは、１本の緯糸２２の上を跨ぐと共に、３本の緯糸２２の下を潜るように織り込まれている。また、経糸２１は、２本の緯糸２２の上を跨ぐと共に、２本の緯糸２２の下を潜るように織り込まれている。従って、芯紐２３ａ，２３ｂの方が、経糸２１よりも多くの緯糸２２の上を跨いでいる（芯紐２３ｂの場合、テープ表側から見ると潜っている）ので、芯紐２３ａ，２３ｂの露出程度が大きくなり、良好な縞模様Ｓが形成される。なお、芯紐２３ａ（２３ｂ）が上を跨ぐ（下を潜る）緯糸２２の本数は任意であり、２本以上であればよい。また、上記した経糸２１の織り込み方は、芯紐２３ａ，２３ｂに隣り合う経糸２１のものであり、その他の縦糸２１の織り込み方は任意である。また、経糸２１の色を緯糸２２と異ならせることにより、縞模様を形成してもよく、この縞模様と上記縞模様Ｓを連携させてもよい。また、互いに色が異なる緯糸２２及び芯紐２３ａによりテープ側縁部２０ａに沿って縞模様Ｓが形成されているので、テープ側縁部２０ａに沿って取り付けられる複数のファスナーエレメント３１間から緯糸２２又は芯紐２３ａの色が露出する。さらに、縞模様Ｓの間隔及び複数のファスナーエレメント３１の間隔の少なくとも一方を調整することにより、複数のファスナーエレメント３１間から露出する色を緯糸２２又は芯紐２３ａの色に統一することも可能である。
【００１４】
以上説明したように、本実施形態のスライドファスナー１０によれば、テープ側縁部２０ａの上止部１１よりも上側部分及び下止部１２よりも下側部分に、縞模様Ｓがテープ長手方向に沿って形成されるため、テープ側縁部２０ａの上止部１１及び下止部１２よりもテープ長手方向の外側部分の美観を向上することができる。
【００１５】
また、本実施形態のスライドファスナー１０によれば、縞模様Ｓが緯糸２２及び表側に配置される芯紐２３ａの織り目により形成されるため、芯紐２３ａに着色により縞模様を付与する場合と比較して、着色工程の回数を減らすことができる。これにより、スライドファスナー１０の製造コストを削減することができる。
【００１６】
なお、本実施形態の第１変形例として、図４に示すように、下止部１２の代わりに箱棒５１、箱体５２、蝶棒５３からなる開離嵌挿具５０を使用してもよい。この場合、縞模様Ｓは、テープ側縁部２０ａの上止部１１よりも上側部分のみに形成される。
【００１７】
また、本実施形態の第２変形例として、図５に示すように、左右一対のファスナーエレメント列３０を金属製とし、この左右一対のファスナーエレメント列３０を第１及び第２スライダー４０ａ，４０ｂで噛合・分離するようにしてもよい。第１スライダー４０ａはスライドファスナー１０の上側に配置され、第２スライダー４０ｂはスライドファスナー１０の下側に配置され、各々の後側が対向するように配置される。そして、第１スライダー４０ａをスライドファスナー１０の上方に移動させることにより、左右のファスナーエレメント列３０が噛合され、第１スライダー４０ａを下方に移動させることにより、左右のファスナーエレメント列３０が分離される。また、第２スライダー４０ｂをスライドファスナー１０の上方に移動させることにより、左右のファスナーエレメント列３０が分離され、第２スライダー４０ｂを下方に移動させることにより、左右のファスナーエレメント列３０が噛合される。また、本変形例のスライドファスナー１０は、左右のファスナーエレメント列３０の上端部に隣接してそれぞれ設けられる上止部１１と、左右のファスナーエレメント列３０の下端部に隣接してそれぞれ設けられる下止部１２と、を備える。そして、各テープ側縁部２０ａの上止部１１よりも上側部分及び下止部１２よりも下側部分に、縞模様Ｓがテープ長手方向に沿って形成されている。なお、第２スライダー４０ｂの前後左右は第１スライダー４０ａとは逆となる。
【００１８】
なお、本発明は、上記実施形態に限定されず、本発明の技術的思想の範囲内において様々に変更が可能である。
【符号の説明】
【００１９】
１０    スライドファスナー
１１    上止部
１２    下止部
２０    ファスナーテープ
２０ａ  テープ側縁部
２１    経糸
２２    緯糸
２３ａ  芯紐
２３ｂ  芯紐
３０    ファスナーエレメント列
３１    ファスナーエレメント
４０    スライダー
Ｓ    縞模様
【図１】
2012063340.tif 000003
【図２】
2012063340.tif 000004
【図３】
2012063340.tif 000005
【図４】
2012063340.tif 000006
【図５】
2012063340.tif 000007
【国際調査報告】
2012063340.tif 000008
2012063340.tif 000009
2012063340.tif 000010
2012063340.tif 000011